(57)【要約】【課題】電気掃除機用ノズルにおいて、掃除機運転時においても、収納時においても高い抗菌作用を発揮すること。【解決手段】本発明の電気掃除機用ノズルは、ノズルケーシング２内に設けたブラシモータ８により回転する少なくとも回転ブラシ６のブラシ１６が銀を含むもので、前記回転ブラシ１６上部に室内光を導入する採光部１７を備える構成とした。これにより、銀に室内光をあてることができ、電力を使わず銀の抗菌活性を高めることができるので、掃除機運転時においても、収納時においても高い抗菌作用を発揮することが可能となる。【選択図】図１
2005198753.tif 000002
【特許請求の範囲】
【請求項１】
ノズルケーシングと、前記ノズルケーシング内に設けた駆動源により回転する少なくともブラシに銀を含む回転ブラシと、前記回転ブラシ上部に室内光を導入する採光部を備えた電気掃除機用ノズル。
【請求項２】
ノズルケーシングと、前記ノズルケーシング内に設けた駆動源により回転する少なくともブラシに銀を含む回転ブラシと、前記回転ブラシに光を照射する光源を備えた電気掃除機用ノズル。
【請求項３】
回転ブラシに連結したブラシの材質が、ポリアミドである請求項１または２に記載の電気掃除機用ノズル。
【請求項４】
ブラシに銀を担持させたセラミックを練り込んだことを特徴とする請求項１〜３のいずれか１項に記載の電気掃除機用ノズル。
【請求項５】
ブラシに銀を担持させたセラミックを、結合剤を用いてコーティングしたことを特徴とする請求項４記載の電気掃除機用ノズル。
【請求項６】
セラミックがリン酸ジルコニウムであることを特徴とする請求項４または５記載の電気掃除機用ノズル。
【請求項７】
回転ブラシを着脱可能とし、収納可能な引っ掛け具を前記回転ブラシに設けたことを特徴とする請求項１〜３のいずれか１項に記載の電気掃除機用ノズル。
【発明の詳細な説明】
【技術分野】
【０００１】
本発明は電気掃除機用ノズルに関するものである。
【背景技術】
【０００２】
従来、この種の電気掃除機用ノズルとして、抗菌材をブラシに塗布し、抗菌性を持たせるものがあった（例えば、特許文献１参照）。また酸化チタンをブラシに塗布もしくは練り込み、内部に光源を設け、光源を点灯することにより光触媒作用によって抗菌するものがあった。
【特許文献１】特開平７−１２４０７９号公報
【発明の開示】
【発明が解決しようとする課題】
【０００３】
しかしながら、前記従来の構成では、銀をブラシ表面に塗布するだけで、銀の抗菌性を十分に発揮させることができていなかった。また酸化チタンを用いた場合は、掃除機の運転停止後収納すると電力供給がないので、当然光源は点灯せず、抗菌効果を発揮させることはできなかった。
【０００４】
本発明は、前記従来の課題を解決するもので、掃除機運転時においても、収納時においても高い抗菌作用を有する電気掃除機用ノズルを提供することを目的とする。
【課題を解決するための手段】
【０００５】
前記従来の課題を解決するために、本発明の電気掃除機用ノズルは、ノズルケーシング内に設けた駆動源により回転する少なくとも回転ブラシのブラシが銀を含むもので、前記回転ブラシ上部に室内光を導入する採光部を備える構成とするものである。
【発明の効果】
【０００６】
本発明の電気掃除機用ノズルは、掃除機運転時においても、収納時においても高い抗菌作用を有する人体に対して清潔な電気掃除機用ノズルを提供することができる。
【発明を実施するための最良の形態】
【０００７】
第１の発明は、ノズルケーシングと、前記ノズルケーシング内に設けた駆動源により回転する少なくともブラシに銀を含む回転ブラシと、前記回転ブラシ上部に室内光を導入する採光部を備えたことにより、銀に室内光をあてることができるので、電力を使わず銀の抗菌活性を高めることができる。
【０００８】
第２の発明は、ノズルケーシングと、前記ノズルケーシング内に設けた駆動源により回転する少なくともブラシに銀を含む回転ブラシと、前記回転ブラシに光を照射する光源を備えたことにより、銀に光を照射することができるので、ノズルに光が当たらない場所で使用するときも銀の抗菌活性を高めることができる。
【０００９】
第３の発明は、第１または第２の発明の回転ブラシに連結したブラシの材質を、ポリアミドとするもので、柔軟性の高いブラシを実現できるものである。
【００１０】
第４の発明は、ブラシに銀を担持させたセラミックを練り込むもので、容易に銀をブラシ材料に配合することが可能となる。
【００１１】
第５の発明は、ブラシに銀を担持させたセラミックを結合剤を用いてコーティングするもので、抗菌に必要なブラシ表面だけに銀を分散させることができ効率的になる。
【００１２】
第６の発明は、銀を嘆じする担体をリン酸ジルコニウムとするもので、これにより担持した銀が水に対し溶出し難くなるので、水洗い仕様とした場合のブラシの抗菌性の寿命が伸びる。
【００１３】
第７の発明は、回転ブラシを着脱可能とし、回転ブラシ内に収納可能な引っ掛け具を設けた電気掃除機用ノズルとするもので、前記回転ブラシを屋外に吊るして干すことができて、収納可能とすることでブラシの回転を阻害することもない。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における電気掃除機用ノズルの断面図を示すものである。図１において、掃除機用ノズル本体１は、ノズルケーシング２と、その前方内部に下方に開口した開口部３を有する吸い込み室４が、後方内部にはモータ室５が構成され、前記モータ室５は隔壁１２によって吸い込み室４と区画されている。
【００１６】
モータ室５の後方内面には回転自在に摺動する吸い込み継ぎ手１０があり、この周壁の一部から突設した円筒状の接続口１１を介して図示されていない床ノズルパイプが取り付けられ、さらにこの床ノズルパイプには電気掃除機の吸気側にホースを介して連通した延長管が着脱自在に接続される。
【００１７】
ノズルケーシング２の下方部には、開口部３の後方に平行に取り付けられた固定ブラシ１３と、車輪１４、１５が設けられている。
【００１８】
吸い込み室４内には、これと平行に設けられた回転ブラシ６があり、ベルト７を介してモータ室５内のブラシモータ（駆動源）８の回転により回転する。回転ブラシ６の毛はポリアミドである６ナイロン製のブラシ１６から構成されている。回転ブラシ６の上部には室内光を採り入れるための採光部１７がある。
【００１９】
以上のように構成された電気掃除機用ノズルについて、以下その動作、作用を説明する。まず、図示されていないスイッチを押して掃除機を作動させると、ブラシモータ８に通電が開始される。ブラシモータ８の回転は、ベルト７を介して回転ブラシ６に伝わり、回転ブラシ６を回転させる。回転ブラシ６の上部には室内光を採り入れるための採光部１７があり、室内光を透過させるＡＢＳ樹脂でできている。採光部１７には高価ではあるが紫外光まで透過しやすいアクリル樹脂等を用いると望ましい。
【００２０】
またブラシ１６には銀配合量が３ｗｔ％の銀担持リン酸ジルコニウムを２ｗｔ％練り込みしたナイロン樹脂を使用した。銀の担体としてはゼオライト、シリカゲル、ガラス、リン酸カルシウム、リン酸ジルコニウム、ケイ酸塩、酸化チタン等の担体を用いることもできる。リン酸ジルコニウムを用いた場合、銀が水に溶出し難いという特徴があり、ブラシを水洗する仕様にする場合には望ましい。
【００２１】
本実施の形態ではブラシ１６に銀担持リン酸ジルコニウムを練り込みしたが、ナイロンとの接合性の高いバインダーと銀担持リン酸ジルコニウムを混合して、ナイロン表面に塗布することもできる。
【００２２】
（実験例１）
実施の形態１のノズルにおいて銀を含まないナイロン製ブラシを取り付け比較例１とした。比較例１のブラシに黄色ブドウ状球菌の菌液をスプレー塗布し、１時間室内光の下に放置させた後、ブラシを取り外し生理食塩水で洗い出しを行い、洗い出し液の菌数がほぼ１．０×１０4ＣＦＵ／ｃｃとなるようにした。採光部直上はほぼ７００ルクスであった。菌数の計測は、標準寒天培地に平板希釈し、３５℃で４８時間培養した後に寒天培地状のコロニーを数える方法で行った。
【００２３】
次に実施の形態１のノズルのブラシに黄色ブドウ状球菌の菌液を同量スプレー塗布し、採光部を遮光し光が入らないようにして室内に同条件で放置した、これを比較例２とした。洗い出し液の菌数は３回試験平均で３．６×１０2ＣＦＵ／ｃｃであった。
【００２４】
次に、実施の形態１のノズルのブラシに黄色ブドウ状球菌の菌液を同量スプレー塗布し、室内に同条件で放置した。洗い出し液の菌数は３回試験平均で１．７×１０ＣＦＵ／ｃｃであった。比較例２では抗菌効果が確認されたが、さらに光が照射されることで残存菌数が減少し、高い抗菌効果がみられた。
【００２５】
（実施の形態２）
図２は、本発明の第２の実施の形態における電気掃除機用ノズルの断面図を示すものである。
【００２６】
図１において、掃除機用ノズル本体１は、ノズルケーシング２と、その前方内部に下方に開口した開口部３を有する吸い込み室４が、後方内部にはモータ室５が構成され、前記モータ室５は隔壁１２によって吸い込み室４と区画されている。
【００２７】
モータ室５の後方内面には回転自在に摺動する吸い込み継ぎ手１０があり、この周壁の一部から突設した円筒状の接続口１１を介して図示されていない床ノズルパイプが取り付けられ、さらにこの床ノズルパイプには電気掃除機の吸気側にホースを介して連通した延長管が着脱自在に接続される。
【００２８】
ノズルケーシング２の下方部には、開口部３の後方に平行に取り付けられた固定ブラシ１３と、車輪１４、１５が設けられている。
【００２９】
吸い込み室４内にはこれと平行に設けられた回転ブラシ６があり、ベルト７を介してモータ室５内のブラシモータ８の回転により回転する。回転ブラシ６の毛はポリアミドである６ナイロン製のブラシ１６から構成されている。回転ブラシ６の上部には、光源１８が設けられていて、ブラシ６へ光を照射することができる。
【００３０】
以上のように構成された電気掃除機用ノズルについて、以下その動作、作用を説明する。まず、図示されていないスイッチを押して掃除機を作動させると、ブラシモータ８に通電が開始される。ブラシモータ８の回転は、ベルト７を介して回転ブラシ６に伝わり、回転ブラシ６を回転させる。
【００３１】
またブラシ１６には銀配合量が３ｗｔ％の銀担持リン酸ジルコニウムを２ｗｔ％練り込みしたナイロン樹脂を使用した。銀の担体としてはゼオライト、シリカゲル、ガラス、リン酸カルシウム、リン酸ジルコニウム、ケイ酸塩、酸化チタン等の担体を用いることもできる。リン酸ジルコニウムを用いた場合、銀が水に溶出し難いという特徴があり、ブラシを水洗する仕様にする場合には望ましい。
【００３２】
本実施の形態ではブラシ１６に銀担持リン酸ジルコニウムを練り込みしたが、ナイロンとの接合性の高いバインダーと銀担持リン酸ジルコニウムを混合して、ナイロン表面に塗布することもできる。
【００３３】
光源１８には２０ｍＡの白色ＬＥＤを用いた。ブラシに平行となるように５個設置した。光源はＬＥＤだけに限定されるものではないが、照射強度、耐久性、サイズを考えるともっとも望ましい。
【００３４】
（実験例２）
実施の形態２のノズルにおいて銀を含まないナイロン製ブラシを取り付け比較例３とした。比較例３のブラシに黄色ブドウ状球菌の菌液をスプレー塗布し、１時間室内光の下に放置させた後、ブラシを取り外し生理食塩水で洗い出しを行い、洗い出し液の菌数がほぼ１．０×１０4ＣＦＵ／ｃｃとなるようにした。菌数の計測は、標準寒天培地に平板希釈し、３５℃で４８時間培養した後に寒天培地状のコロニーを数える方法で行った。
【００３５】
次に実施の形態２のノズルのブラシに黄色ブドウ状球菌の菌液を同量スプレー塗布し、室内に同条件で放置した、光源は点灯させていない。これを比較例４とした。洗い出し液の菌数は３回試験平均で３．２×１０2ＣＦＵ／ｃｃであった。
【００３６】
次に実施の形態２のノズルのブラシに黄色ブドウ状球菌の菌液を同量スプレー塗布し、室内に同条件で放置した。洗い出し液の菌数は３回試験平均で３．１×１０ＣＦＵ／ｃｃであった。比較例２では抗菌効果が確認されたが、さらに光源を点灯し、光が照射されることで残存菌数が減少し、高い抗菌効果がみられた。
【００３７】
（実施の形態３）
図３は、本発明の第３の実施の形態における電気掃除機用ノズルの回転ブラシの斜視図を示すものである。回転ブラシ６の毛はポリアミドである６ナイロン製のブラシ１６から構成されている。さらに回転ブラシ６には収納固定可能な引っ掛け具１９が設けられている。
【００３８】
ノズル本体より外した回転ブラシ６は引っ掛け具１９を引き出すことにより、屋外に吊るすことができる。再度ノズル本体へ回転ブラシ６を装着するときは、引っ掛け具１９を収納すればよい。これにより洗浄したノズルを干す場合にも、別途部材を容易する必要はない。また天日干しすることで、ブラシに含まれる銀の抗菌活性をさらに向上させて除菌することも可能である。
【産業上の利用可能性】
【００３９】
以上のように、本発明にかかる電気掃除機用ノズルは、光を照射することでブラシに含まれる銀の抗菌活性を向上させるもので、用途は電気掃除機用ノズルのブラシに限定されるものではなく、掃き掃除用のモップ、ブラシにも応用できる。また家電機器等の人の手が触れる部材の抗菌への応用も可能である。
【図面の簡単な説明】
【００４０】
【図１】本発明の実施の形態１における電気掃除機用ノズルの断面図
【図２】本発明の実施の形態２における電気掃除機用ノズルの断面図
【図３】本発明の実施の形態３における電気掃除機用ノズルの回転ブラシの斜視図
【符号の説明】
【００４１】
１  掃除機用ノズル本体
２  ノズルケーシング
３  開口部
６  回転ブラシ
８  ブラシモータ（駆動源）
１６  ブラシ
１７  採光部
１８  光源
１９  引っ掛け具
【図１】
2005198753.tif 000003
【図２】
2005198753.tif 000004
【図３】
2005198753.tif 000005